(57)【要約】【課題】  移動局装置が使用する複数の通信チャネルのうちの一部を他の移動局装置に割り当てたとしても、当該移動局装置の通信速度が通信チャネルの減少分ほどには減少しないようにすること。【解決手段】  複数の移動局装置３０との間で、各移動局装置３０に１又は複数の通信チャネルを割り当てて無線通信を行う基地局装置２０において、移動局装置３０のうちの複数の通信チャネルを使用している移動局装置３０から少なくとも１つの移動局装置３０を選択する無線資源管理部１２２と、前記選択された各移動局装置のうちの少なくとも一部との無線通信にかかる通信データを圧縮するデータ圧縮部１２６と、を含み、前記圧縮した通信データを、前記選択した各移動局装置３０に対して送信することを特徴とする。【選択図】図４
2006333399.tif 000002
【特許請求の範囲】
【請求項１】
複数の移動局装置との間で、各移動局装置に１又は複数の通信チャネルを割り当てて無線通信を行う基地局装置において、
前記移動局装置のうちの複数の通信チャネルを使用している移動局装置から少なくとも１つの移動局装置を選択する選択手段と、
前記選択された各移動局装置のうちの少なくとも一部との無線通信にかかる通信データを圧縮する圧縮手段と、
前記圧縮した通信データを、前記選択した各移動局装置に対して送信する送信手段と、
を含むことを特徴とする基地局装置。
【請求項２】
請求項１に記載の基地局装置において、
前記圧縮手段により通信データを圧縮する移動局装置との無線通信に使用している通信チャネルのうちの少なくとも１つについて、通信チャネル割当を解除する割当解除手段、
をさらに含むことを特徴とする基地局装置。
【請求項３】
請求項１又は２に記載の基地局装置において、
前記選択手段は、通信中の移動局装置が所定数を越えている場合に、前記移動局装置のうちの複数の通信チャネルを使用している移動局装置から少なくとも１つの移動局装置を選択する、
ことを特徴とする基地局装置。
【請求項４】
基地局装置と複数の移動局装置との間で、各移動局装置に１又は複数の通信チャネルを割り当てて無線通信を行う際の通信速度を向上する通信速度低下防止方法であって、
前記移動局装置のうちの複数の通信チャネルを使用している移動局装置から少なくとも１つの移動局装置を選択する選択ステップと、
前記選択された各移動局装置のうちの少なくとも一部と基地局装置との無線通信にかかる通信データを圧縮する圧縮ステップと、
を含むことを特徴とする通信速度低下防止方法。
【請求項５】
コンピュータを、複数の移動局装置との間で、各移動局装置に１又は複数の通信チャネルを割り当てて無線通信を行う基地局装置として機能させるためのプログラムであって、
前記移動局装置のうちの複数の通信チャネルを使用している移動局装置から少なくとも１つの移動局装置を選択する選択手段、
前記選択された各移動局装置のうちの少なくとも一部との無線通信にかかる通信データを圧縮する圧縮手段、及び
前記圧縮した通信データを、前記選択した各移動局装置に対して送信する送信手段、
として前記コンピュータを機能させることを特徴とするプログラム。
【発明の詳細な説明】
【技術分野】
【０００１】
本発明は基地局装置、通信速度低下防止方法、及びプログラムに関する。
【背景技術】
【０００２】
従来の移動体通信システムにおける基地局装置には、複数の移動局装置のそれぞれに１又は複数の通信チャネルを割り当て、割り当てた通信チャネルを使用して各移動局装置との無線通信を行うようにしているものがある。１つの移動局装置について複数の通信チャネルを使用するのは、通信速度を上げるためである。
【０００３】
ところで、基地局装置が同時に使用できる通信チャネルの数には限界がある。このため、上記基地局装置では、使用している通信チャネルの数が限界値に達してもなお新たな通信を要求する移動局装置がある場合、移動局装置が使用する複数の通信チャネルのうちの一部について割当を解除し、新たに通信を要求した移動局装置に割り当てる。このようにすることにより、各移動局装置に対して均等に通信機会を与えることを実現している。
【０００４】
なお、特許文献１には、通信区間の通信品質が悪いほど通信データの圧縮率を高くすることに関する技術が記載されている。
【特許文献１】特開２００３−３０９５４１号公報
【発明の開示】
【発明が解決しようとする課題】
【０００５】
しかしながら、ある移動局装置が使用している複数の通信チャネルのうちの一部を他の移動局装置に割り当てると、当該移動局装置の使用する通信チャネルは減ってしまい、その通信速度が低下してしまうという問題があった。
【０００６】
本発明は上記課題を解決するためになされたもので、その目的の一つは、移動局装置が使用する複数の通信チャネルのうちの一部を他の移動局装置に割り当てたとしても、当該移動局装置の通信速度が通信チャネルの減少分ほどには減少しないようにすることができる基地局装置、通信速度低下防止方法、及びプログラムを提供することにある。
【課題を解決するための手段】
【０００７】
上記課題を解決するための本発明にかかる基地局装置は、複数の移動局装置との間で、各移動局装置に１又は複数の通信チャネルを割り当てて無線通信を行う基地局装置において、前記移動局装置のうちの複数の通信チャネルを使用している移動局装置から少なくとも１つの移動局装置を選択する選択手段と、前記選択された各移動局装置のうちの少なくとも一部との無線通信にかかる通信データを圧縮する圧縮手段と、前記圧縮した通信データを、前記選択した各移動局装置に対して送信する送信手段と、を含むことを特徴とする。
【０００８】
本発明によれば、複数の通信チャネルを使用して通信を行っている移動局装置のうちの少なくとも１つを選択し、選択した移動局装置のうちの少なくとも一部との無線通信にかかる通信データを圧縮している。このようにすることにより、通信データの圧縮がなされる移動局装置が使用する通信チャネルを他の移動局装置に割り当てたとしても、当該移動局装置の通信速度が通信チャネルの減少分ほどには減少しないようにすることができる。
【０００９】
また、上記基地局装置において、前記圧縮手段により通信データを圧縮する移動局装置との無線通信に使用している通信チャネルのうちの少なくとも１つについて、通信チャネル割当を解除する割当解除手段、をさらに含むこととしてもよい。
【００１０】
本発明によれば、通信データを圧縮した移動局装置について使用する通信チャネルの割当を解除することにより、当該通信チャネルを他の移動局装置に割り当てることができる。
【００１１】
また、上記基地局装置において、前記選択手段は、通信中の移動局装置が所定数を越えている場合に、前記移動局装置のうちの複数の通信チャネルを使用している移動局装置から少なくとも１つの移動局装置を選択する、こととしてもよい。
【００１２】
通信中移動局装置が多くなると、複数の通信チャネルを使用している移動局装置について、そのうちの一部の通信チャネルの割当を解除することにより、他の移動局装置の通信を可能とする必要性が高まる。本発明によれば、通信中の移動局装置が所定数を越えている場合に通信データの圧縮を行うので、上記必要性が高まった場合に通信データの圧縮を行うようにすることができ、効率的に通信チャネル割当解除に備えておくことができる。
【００１３】
また、本発明にかかる通信速度低下防止方法は、基地局装置と複数の移動局装置との間で、各移動局装置に１又は複数の通信チャネルを割り当てて無線通信を行う際の通信速度を向上する通信速度向上方法であって、前記移動局装置のうちの複数の通信チャネルを使用している移動局装置から少なくとも１つの移動局装置を選択する選択ステップと、前記選択された各移動局装置のうちの少なくとも一部と基地局装置との無線通信にかかる通信データを圧縮する圧縮ステップと、を含むことを特徴とする。
【００１４】
また、本発明にかかるプログラムは、コンピュータを、複数の移動局装置との間で、各移動局装置に１又は複数の通信チャネルを割り当てて無線通信を行う基地局装置として機能させるためのプログラムであって、前記移動局装置のうちの複数の通信チャネルを使用している移動局装置から少なくとも１つの移動局装置を選択する選択手段、前記選択された各移動局装置のうちの少なくとも一部との無線通信にかかる通信データを圧縮する圧縮手段、及び前記圧縮した通信データを、前記選択した各移動局装置に対して送信する送信手段、として前記コンピュータを機能させることを特徴とする。
【発明を実施するための最良の形態】
【００１５】
本発明の実施の形態について、図面を参照しながら説明する。
【００１６】
図１は、本実施の形態に係る移動体通信システム１０の構成図である。同図に示すように、本実施の形態に係る移動体通信システム１０は基地局装置２０、移動局装置３０、通信ネットワーク４０を含んで構成されている。
【００１７】
基地局装置２０は、図２に示すように、制御部２１と、記憶部２２と、無線通信部２３と、ネットワークインターフェイス部２４と、を含んで構成されている。
【００１８】
制御部２１は、基地局装置２０の各部を制御し、通話、データ通信、又はパケット通信に関わる処理を実行している。また、後述する通信データ圧縮処理も実行する。
【００１９】
記憶部２２は、制御部２１のワークメモリとして動作する。また、この記憶部２２は、制御部２１によって行われる各種処理に関わるプログラムやパラメータを保持している。さらに、記憶部２２は、無線通信部２３において通信チャネルを割り当てられている移動局装置の数を示す端末使用無線資源情報、後述する処理により通信データの圧縮を行う移動局装置を示す圧縮対象端末情報、及び通信データの圧縮を行うか否かについての判定処理（後述）における閾値であるデータ圧縮判定閾値を記憶する。また、記憶部２２は、互いに圧縮方式や圧縮率が異なる複数の圧縮アルゴリズムを記憶している。
【００２０】
無線通信部２３は、空中線を備え、移動局装置３０からの音声信号や通信用パケット等をそれぞれ受信して復調し、制御部２１に出力したり、制御部２１から入力される指示に従って、制御部２１から入力される音声信号や通信用パケット等を変調して空中線を介して出力したり、といった処理を行う。無線通信部２３は、移動局装置３０との通信を行うための複数の通信チャネルを備えている。ここでの通信チャネルは、例えば時分割多重におけるタイムスロットのように、同時に１つの移動局装置３０の通信を行うために使用されるものである。
【００２１】
無線通信部２３は、通信を開始しようとする移動局装置３０に１又は複数の通信チャネルを割り当てる。移動局装置３０は、割り当てられた１又は複数の通信チャネルを使用して、基地局装置２０乃至通信ネットワーク４０との通信を行う。
【００２２】
ネットワークインターフェイス部２４は、通信ネットワーク４０と接続されており、通信ネットワーク４０からの音声信号や通信用パケット等を受信して制御部２１に出力したり、制御部２１の指示に従って音声信号や通信用パケット等を通信ネットワーク４０に対して送信したりする。
【００２３】
移動局装置３０は、図３に示すように、制御部３１と、記憶部３２と、無線通信部３３と、を含んで構成されている。
【００２４】
制御部３１は、移動局装置３０の各部を制御し、通話、データ通信、又はパケット通信に関わる処理を実行している。また、メール、ＶＯＩＰ、ストリーミングなどのアプリケーションプログラムを実行し、必要に応じアプリケーションプログラムによる通信データの作成を行う。さらに、無線通信部３３が受信した音声信号や通信用パケットから通信データを抽出してアプリケーションプログラムに渡し、アプリケーションプログラムによる処理を施すための処理も行う。
【００２５】
記憶部３２は、制御部３１のワークメモリとして動作する。また、この記憶部３２は、制御部３１によって行われる各種処理に関わるプログラムやパラメータを保持している。
【００２６】
無線通信部３３は、空中線を備え、制御部３１から入力される指示に従って、音声信号や通信用パケット等を変調して空中線を介して出力したり、空中線に到来する音声信号や通信用パケットを受信して復調し、制御部３１に出力したり、といった処理を行う。無線通信部３３は、基地局装置２０から割り当てられた１又は複数の通信チャネルを使用して、該基地局装置２０乃至通信ネットワーク４０との通信を行う。
【００２７】
本実施の形態では、基地局装置２０は、複数の通信チャネルを使用している移動局装置３０から少なくとも１つの移動局装置３０を選択し、選択した移動局装置３０について通信データの圧縮を行う通信データ圧縮処理を行うようにしている。さらに、基地局装置２０は、通信データの圧縮を行った移動局装置３０のうち少なくとも１つの移動局装置３０について、当該移動局装置３０との無線通信に使用している通信チャネルのうちの少なくとも１つについての通信チャネル割当を解除する通信チャネル割当制御処理を行うようにしている。
【００２８】
以下、通信データ圧縮処理及び通信チャネル割当制御処理について、図４を参照しながら詳細に説明する。まず初めに、移動体通信システム１０における通常の通信データ処理を説明しながら、通信データ圧縮処理について説明する。
【００２９】
図４は、移動体通信システム１０の機能ブロック図である。同図に示すように、移動局装置３０は、機能的には、アプリケーション部１００、中間レイヤ送信処理部１０１、信号処理部１０２に加え、信号処理部１０８、中間レイヤ受信処理部１０９、データ解凍判定部１１０、データ解凍部１１１、アプリケーション部１１２を含んで構成される。また、基地局装置２０は、機能的には、信号処理部１２０、中間レイヤ受信処理部１２１、無線資源管理部１２２、データ圧縮判定部１２４、圧縮アルゴリズム選択部１２５、データ圧縮部１２６、データ圧縮情報付加部１２７、中間レイヤ圧縮送信処理部１２８、中間レイヤ未圧縮送信処理部１３０、信号処理部１３１を含んで構成されている。
【００３０】
より詳細には、信号処理部１０２及び信号処理部１０８は制御部３１及び無線通信部３３により実現され、アプリケーション部１００、中間レイヤ送信処理部１０１、中間レイヤ受信処理部１０９、データ解凍判定部１１０、データ解凍部１１１、アプリケーション部１１２は制御部３１により実現される。また、信号処理部１２０及び信号処理部１３１は制御部２１及び無線通信部２３により実現され、中間レイヤ受信処理部１２１、無線資源管理部１２２、データ圧縮判定部１２４、圧縮アルゴリズム選択部１２５、データ圧縮部１２６、データ圧縮情報付加部１２７、中間レイヤ圧縮送信処理部１２８、中間レイヤ未圧縮送信処理部１３０は制御部２１により実現される。
【００３１】
アプリケーション部１００は、アプリケーションプログラムにより通信データを生成し、生成した通信データを中間レイヤ送信処理部１０１に出力する。中間レイヤ送信処理部１０１は入力された通信データを中間レイヤ信号として取得し、信号処理部１０２に出力する。信号処理部１０２は、入力された中間レイヤ信号を含む無線通信信号を生成し、無線通信部３３に備えられる空中線から、無線区間に送出する。
【００３２】
このように、移動局装置３０は、まず通信データを示す中間レイヤ信号を取得している。そして、取得した中間レイヤ信号を含む無線信号を生成し、生成した無線信号を送信するようにしている。
【００３３】
信号処理部１２０は、移動局装置３０から送信された無線通信信号を受信し、中間レイヤ受信処理部１２１に対して出力する。中間レイヤ受信処理部１２１は入力された無線通信信号に含まれる中間レイヤ信号を抽出し、通信データとして無線資源管理部１２２に対して出力する。
【００３４】
無線資源管理部１２２は、中間レイヤ受信処理部１２１から入力された通信データを、ネットワークインターフェイス部２４を介して通信ネットワーク４０に出力する。また、無線資源管理部１２２は、通信ネットワーク４０と移動局装置３０との間で行われる通信を監視することにより、通信中の移動局装置３０の数を定期的に計数する。そして、計数の結果得られる通信中移動局装置３０の数を、計数の都度、端末使用無線資源情報として記憶部２２に書き込む。
【００３５】
無線資源管理部１２２は、端末使用無線資源情報により示される移動局装置３０の数が記憶部２２に記憶されるデータ圧縮判定閾値を越えているか否かを判定する。そして、判定結果が肯定である場合に、無線資源管理部１２２は、通信データの圧縮を行う移動局装置３０を決定するための圧縮端末判定処理を行う。
【００３６】
この圧縮端末判定処理の詳細について説明する。上述のように、移動体通信システム１０では、各移動局装置３０に１又は複数の通信チャネルを割り当てて、基地局装置２０と複数の移動局装置３０との間の無線通信が行われる。無線資源管理部１２２は、このような無線通信を行っている移動局装置３０のうち複数の通信チャネルを使用している移動局装置３０の中から、端末使用無線資源情報により示される移動局装置３０の数と、データ圧縮判定閾値と、に応じて少なくとも１つの移動局装置３０を選択する。
【００３７】
具体的には、無線資源管理部１２２は、通信中の移動局装置３０の数とデータ圧縮判定閾値の差を算出する。そして、複数の通信チャネルを使用している移動局装置３０から、上記差と等しい数の移動局装置３０を選択する。なお、複数の通信チャネルを使用している移動局装置３０の数が上記差と等しい数より少ない場合には、複数の通信チャネルを使用している移動局装置３０のみを全て選択することとしてもよいし、複数の通信チャネルを使用している移動局装置３０を全て選択した上で、さらに１つの通信チャネルのみを使用している移動局装置３０も選択することとしてもよい。
【００３８】
そして無線資源管理部１２２は、選択した移動局装置３０を通信データの圧縮を行う移動局装置３０として決定し、決定した移動局装置３０を示す圧縮対象端末情報を記憶部２２に書き込む。
【００３９】
無線資源管理部１２２は、また、通信ネットワーク４０から送信される通信データであって、送信先となる移動局装置３０を示す送信先情報が付加された通信データを、ネットワークインターフェイス部２４を介して取得し、データ圧縮判定部１２４に出力する。なお、通信ネットワーク４０からある移動局装置３０に対して送信される通信データは、その移動局装置３０から通信ネットワーク４０に対して送信される通信データと同じアプリケーションプログラムによって生成されたものである。
【００４０】
次に、データ圧縮判定部１２４は、記憶部２２に記憶される圧縮対象端末情報を読み出す。また、データ圧縮判定部１２４は、無線資源管理部１２２から入力された通信データに付加されている送信先情報を取得する。そして、データ圧縮判定部１２４は、取得した送信先情報により示される移動局装置３０が、読み出した圧縮対象端末情報により通信データの圧縮を行う移動局装置３０であることが示される移動局装置３０であるか否かを判定する。
【００４１】
データ圧縮判定部１２４は、上記判定結果が肯定である通信データを圧縮アルゴリズム選択部１２５に出力し、上記判定結果が否定である通信データを中間レイヤ未圧縮送信処理部１３０に出力する。
【００４２】
圧縮アルゴリズム選択部１２５は、入力された通信データをデータ圧縮部１２６に出力する。また、圧縮アルゴリズム選択部１２５は、該通信データを圧縮するための圧縮アルゴリズムを記憶部２２に記憶される複数の圧縮アルゴリズムから選択し、該通信データと対応付けてデータ圧縮部１２６に出力する。なお、圧縮アルゴリズム選択部１２５は、記憶部２２に記憶される圧縮アルゴリズムのうち、通信データに適した圧縮アルゴリズムを選択する。なお、上記端末使用無線資源情報その他の無線資源の利用状況を示す情報に応じて異なる圧縮アルゴリズムを選択することとしてもよい。
【００４３】
データ圧縮部１２６は、圧縮アルゴリズム選択部１２５から入力された通信データを、該通信データと対応付けて入力された圧縮アルゴリズムにより圧縮する。そして、圧縮した通信データと、該通信データを圧縮した圧縮アルゴリズムを示すデータ圧縮情報と、を該通信データと対応付けてデータ圧縮情報付加部１２７に出力する。
【００４４】
データ圧縮情報付加部１２７は、入力された通信データに、該通信データと対応付けて入力されたデータ圧縮情報を付加する。具体的には、通信データの先頭部にデータ圧縮情報を付加することが好適である。データ圧縮情報付加部１２７は、データ圧縮情報を付加した通信データを中間レイヤ圧縮送信処理部１２８に出力する。
【００４５】
中間レイヤ圧縮送信処理部１２８は、データ圧縮情報付加部１２７から入力された通信データ（データ圧縮情報付加後圧縮済み通信データ）を中間レイヤ信号として取得する。そして、信号処理部１３１に出力する。なおこのとき、記憶部２２にデータ圧縮情報付加部１２７から入力された通信データを一時的に記憶し、所定時間経過後に中間レイヤ信号として取得することとしてもよい。
【００４６】
中間レイヤ未圧縮送信処理部１３０は、データ圧縮判定部１２４から入力された通信データ（未圧縮通信データ）を中間レイヤ信号として取得する。そして、信号処理部１３１に出力する。
【００４７】
信号処理部１３１は、中間レイヤ圧縮送信処理部１２８又は中間レイヤ未圧縮送信処理部１３０から入力された中間レイヤ信号を含む無線通信信号を生成し、無線通信部２３に備えられる空中線から、無線区間に送出する。
【００４８】
信号処理部１０８は、基地局装置２０から送信された無線通信信号を受信し、中間レイヤ受信処理部１０９に出力する。中間レイヤ受信処理部１０９は、入力された無線通信信号に含まれる中間レイヤ信号を抽出し、通信データとしてデータ解凍判定部１１０に対して出力する。データ解凍判定部１１０は、通信データにデータ圧縮情報が付加されているか否かを判定する。そして、通信データにデータ圧縮情報が付加されている場合には、該通信データをデータ解凍部１１１に出力し、通信データにデータ圧縮情報が付加されていない場合には、該通信データをアプリケーション部１１２に出力する。
【００４９】
データ解凍部１１１は、中間レイヤ受信処理部１０９から入力された通信データに付加されているデータ圧縮情報により示される圧縮アルゴリズムにより、通信データの解凍を行う。なお、この処理のために記憶部３２に圧縮アルゴリズムを記憶しておくこととしてもよい。データ解凍部１１１は、解凍して得られる通信データを、アプリケーション部１１２に出力する。
【００５０】
アプリケーション部１１２は、入力された通信データに対して、アプリケーションプログラムによる処理を施す。
【００５１】
以上のようにして、移動体通信システム１０では通信データ圧縮処理が行われる。
【００５２】
次に、通信チャネル割当制御処理について説明する。
【００５３】
無線資源管理部１２２は、上述のように、通信を開始する移動局装置３０に対して１又は複数の通信チャネルを割り当てる処理を行うとともに、必要に応じて割り当てを解除したり、再割り当てを行ったり、といった処理を行う。
【００５４】
具体的には、無線資源管理部１２２は、上記通信データ圧縮処理において通信データの圧縮を行うことを決定した移動局装置３０のうち、少なくとも１つの移動局装置３０を選択する。そして、選択した移動局装置３０について、当該移動局装置３０との無線通信に使用している通信チャネルのうちの少なくとも１つについての通信チャネル割当を解除する。このようにして、無線資源管理部１２２は、空き通信チャネルを確保する。そして、無線資源管理部１２２は、通信を開始する移動局装置３０に対して、割り当てを解除することにより確保した空き通信チャネルを割り当てる。
【００５５】
無線資源管理部１２２は、このようにして通信チャネルの割り当てを解除することによって使用する通信チャネルを減らした移動局装置３０に対して、所定時間後（例えば１００ミリ秒後）に通信チャネルを再割当する。
【００５６】
なお、無線資源管理部１２２は、所定数以上空き通信チャネルがない場合、再割当すべき通信チャネルがないと判断する。このような場合、無線資源管理部１２２は、所定数以上の空き通信チャネルが確保されるまで待機し、所定数以上の空き通信チャネルが確保できた場合、通信チャネル割当を解除した順に通信チャネルの再割当を行う。このようにすることにより、各移動局装置３０に平等な通信機会を与えるようにしている。
【００５７】
なお、無線資源管理部１２２は、上記処理により割り当てを解除した通信チャネルを割り当てた移動局装置３０を、通信チャネルを割り当てた時刻とともに記憶部２２に記憶しておくこととしてもよい。そして、使用する通信チャネルを減らした移動局装置に対して再割当すべき空き通信チャネルがない場合には、記憶している移動局装置３０のうち、早い時刻に通信チャネルを割り当てた移動局装置３０から順に通信チャネルの割り当てを解除し、割り当てを解除した通信チャネルを使用する通信チャネルを減らした移動局装置に対して再割当することとしてもよい。
【００５８】
また、通信チャネル割当制御処理において通信チャネル割当の解除後再割当を行った場合、通信データ制御処理を再度起動し、再割当を行った移動局装置３０とは異なる移動局装置３０を選択するようにすることとしてもよい。具体的には、該再割当を行った移動局装置３０を記憶しておき、上記圧縮端末判定処理において、記憶される移動局装置３０を選択対象から除外した上で、移動局装置３０の選択を行うようにすることが好適である。このようにすることによっても、各移動局装置３０に平等な通信機会を与えるようにすることができる。
【００５９】
次に、本実施形態にかかる基地局装置２０の処理を、フロー図を参照しながら説明する。
【００６０】
図５は、本実施形態にかかる基地局装置２０の処理のフロー図である。同図に示すように、基地局装置２０は、まず通信中の移動局装置の数（ユーザー数）を取得し、データ圧縮判定閾値Ｃｘより大きいか否かを判定する（Ｓ１００）。このＳ１００の判定処理は、データ圧縮判定閾値Ｃｘより大きいという判定結果が得られるまで定期的に繰り返す。データ圧縮判定閾値Ｃｘより大きいと判断した場合には、基地局装置２０は、変数Ｃｕの記憶領域を確保し、ユーザー数とデータ圧縮判定閾値Ｃｘの差を代入する（Ｓ１０２）。そして、通信中の移動局装置Ｕｘからランダムに１つの移動局装置Ｕｘを選択し（Ｓ１０４）、当該選択した移動局装置Ｕｘが複数の通信チャネルを使用しているか否かを判定する（Ｓ１０６）。基地局装置２０は、複数の通信チャネルを使用していると判定される移動局装置Ｕｘが選択されるまでこの選択処理及び判定処理を繰り返す。
【００６１】
基地局装置２０は、複数の通信チャネルを使用していると判定される移動局装置Ｕｘが選択された場合、当該選択された移動局装置Ｕｘについての１００ｍｓカウント処理を開始する（Ｓ１０８）。この１００ｍｓカウント処理については後述する。
【００６２】
次に、Ｓ１０４で選択された移動局装置Ｕｘが使用する通信チャネルのうち、１つの通信チャネルにおいて送信する通信データを圧縮する処理を開始する（Ｓ１１０）とともに、他の通信チャネルの割り当てを開放する（Ｓ１１２）。なお、基地局装置２０は、Ｓ１０８で開始された１００ｍｓカウント処理により中止されるまで、この圧縮処理を継続する。そして、変数ｃｏｕｎｔを１インクリメント（Ｓ１１４）し、変数ｃｏｕｎｔの値が変数Ｃｕの値より小さければ、Ｓ１０４の処理に戻り、他の移動局装置３０を選択する。変数ｃｏｕｎｔの値が変数Ｃｕの値より小さくなければ、処理を終了する。つまり、基地局装置２０は、変数Ｃｕで示される数の移動局装置Ｕｘについて、通信データの圧縮処理を行っている。
【００６３】
図６はＳ１０８に示す１００ｍｓカウント処理のフロー図である。この１００ｍｓカウント処理は、Ｓ１１０で圧縮を開始した各移動局装置Ｕｘについて、それぞれ行われる処理である。同図に示すように、１００ｍｓカウント処理では、１００ミリ秒経過するまで待機する（Ｓ１５０）。そして、１００ミリ秒経過したら、Ｓ１１０で圧縮を開始した移動局装置Ｕｘについて、Ｓ１１０で開始した通信データの圧縮を中止し、Ｓ１１２の処理において割り当てを解除した通信チャネルを、移動局装置Ｕｘに再度割り当てる。このとき割り当てる通信チャネルは、解除するまで使用していた通信チャネルであってもよいし、他の空き通信チャネルであってもよい。
【００６４】
このようにして、Ｓ１１０で圧縮を開始した各移動局装置Ｕｘは、１００ミリ秒にわたって、使用する通信チャネルを減らされるとともに、残りの通信チャネルにおける通信データを圧縮される。ただし、１００ミリ秒後には、使用する通信チャネル数は元に戻され、通信データの圧縮処理も終了する。
【００６５】
以上説明した通信データ圧縮処理及び通信チャネル割当制御処理を実行することにより、通信データの圧縮がなされる移動局装置が使用する通信チャネルを他の移動局装置に割り当てたとしても、当該移動局装置の通信速度が通信チャネルの減少分ほどには減少しないようにすることができる。
【００６６】
なお、本発明は上記実施の形態に限定されるものではない。
【００６７】
例えば、上記実施の形態では複数の通信チャネルを使用している移動局装置３０から少なくとも１つの移動局装置３０を選択し、選択した移動局装置３０について通信データの圧縮を行っている。そしてさらに、通信データの圧縮を行った移動局装置３０のうち少なくとも１つの移動局装置３０について、当該移動局装置３０との無線通信に使用している通信チャネルのうちの少なくとも１つについての通信チャネル割当を解除している。この処理を、次のように変更することとしてもよい。つまり、複数の通信チャネルを使用している移動局装置３０から少なくとも１つの移動局装置３０を選択し、当該移動局装置３０との無線通信に使用している通信チャネルのうちの少なくとも１つについての通信チャネル割当を解除することとしてもよい。そして、通信チャネル割当を解除した移動局装置３０について、通信データの圧縮を行うこととしてもよい。このようにしても、通信データの圧縮がなされる移動局装置が使用する通信チャネルを他の移動局装置に割り当てたとしても、当該移動局装置の通信速度が通信チャネルの減少分ほどには減少しないようにすることができる。
【図面の簡単な説明】
【００６８】
【図１】本発明の実施の形態にかかる移動体通信システムのシステム構成図である。
【図２】本発明の実施の形態にかかる基地局装置のシステム構成図である。
【図３】本発明の実施の形態にかかる移動局装置のシステム構成図である。
【図４】本発明の実施の形態にかかる移動体通信システムの機能ブロック図である。
【図５】本発明の実施の形態にかかる基地局装置の処理のフロー図である。
【図６】本発明の実施の形態にかかる基地局装置の処理のフロー図である。
【符号の説明】
【００６９】
１０  移動体通信システム、２０  基地局装置、２１，３１  制御部、２２，３２  記憶部、２３，３３  無線通信部、２４  ネットワークインターフェイス部、３０  移動局装置、４０  通信ネットワーク、１００，１１２  アプリケーション部、１０１  中間レイヤ送信処理部、１０２，１０８、１２０，１３１  信号処理部、１０９  中間レイヤ受信処理部、１１０  データ解凍判定部、１１１  データ解凍部、１２１  中間レイヤ受信処理部、１２２  無線資源管理部、１２４  データ圧縮判定部、１２５  圧縮アルゴリズム選択部、１２６  データ圧縮部、１２７  データ圧縮情報付加部、１２８  中間レイヤ圧縮送信処理部、１３０  中間レイヤ未圧縮送信処理部。
【図１】
2006333399.tif 000003
【図２】
2006333399.tif 000004
【図３】
2006333399.tif 000005
【図４】
2006333399.tif 000006
【図５】
2006333399.tif 000007
【図６】
2006333399.tif 000008